(57)【要約】【課題】リーダライタおよび紙幣識別装置の稼動状態を、リーダライタの使用状況に応じて制御することで、それらの消費電力を少なくする。【解決手段】非接触型データキャリア２５との間で無線通信を行うための送受信アンテナ２１を有し、送受信アンテナ２１を介して非接触型データキャリア２５からのデータの読み出しと非接触型データキャリアに対してデータの書き込みを行うリーダライタ２０と、挿入される紙幣を識別して収納する紙幣識別装置１７と、紙幣識別装置１７の紙幣挿入口９を覆う開閉カバー１６と、を備えた自動販売機１において、送受信アンテナ２１は開閉カバー１６に配設され、開閉カバー１６が開放されるとき、リーダライタ２０の動作を禁止してその電源を遮断するとともに、紙幣識別装置１７の電源を投入して紙幣の識別を可能にする。【選択図】      図４
2012088900.tif 000002
【特許請求の範囲】
【請求項１】
非接触型データキャリアとの間で無線通信を行うための送受信アンテナを有し、前記送受信アンテナを介して前記非接触型データキャリアからのデータの読み出しと前記非接触型データキャリアに対してデータの書き込みを行うリーダライタと、挿入される紙幣を識別して収納する紙幣識別装置と、前記紙幣識別装置の紙幣挿入口を覆う開閉カバーと、を備えた自動販売機において、前記送受信アンテナは前記開閉カバーに配設され、前記開閉カバーが開放されるとき、前記リーダライタの動作を禁止してその電源を遮断するとともに、前記紙幣識別装置の電源を投入して紙幣の識別を可能にすることを特徴とするリーダライタを備えた自動販売機。
【請求項２】
販売商品を選択する商品選択ボタンを備え、待機状態においてリーダライタの電源を遮断し、先ず前記商品選択ボタンが操作されたとき、前記リーダライタの電源を投入してその動作を可能にすることを特徴とする請求項1に記載のリーダライタを備えた自動販売機。
【請求項３】
前記開閉カバーの開閉動作に伴う前記送受信アンテナのインピーダンスの変化に基づいて、前記開閉カバーの開放を検知することを特徴とする請求項１または請求項２に記載のリーダライタを備えた自動販売機。
【請求項４】
販売商品の搬出動作の終了後、所定の時間が経過したとき、前記リーダライタまたは前記紙幣識別装置の電源を遮断することを特徴とする請求項１乃至請求項３のいずれか一項に記載の自動販売機。
【発明の詳細な説明】
【技術分野】
【０００１】
本発明は、非接触型データキャリア（ＩＣカード等）との間で無線通信を行って、その非接触型データキャリアに対してデータの読み出し、書き込みを行うリーダライタを備え、非接触型データキャリアを利用した顧客に対し、飲料水やたばこ等の商品を販売する自動販売機に関する。
【背景技術】
【０００２】
従来のこのような自動販売機としては、先に公開された特開２００７−１７２１０９号公報（特許文献１）に記載されるようなリーダライタユニットを備えた自動販売機が知られている。この特許文献1に記載される自動販売機は、自動販売機の外扉に設けた所定の開口部から外側に突出するように設けられたフロントカバー部と、そのフロントカバー部内に配備されたリーダライタ部（アンテナ部）を有するリーダライタユニットと、そのリーダライタユニットの背面側に装着される紙幣識別装置とを備え、ＩＣカードや紙幣を用いて商品を購入可能な自動販売機であって、リーダライタユニットは紙幣識別装置を係合可能な係合部を備え、その係合部によって紙幣識別装置を、ネジ等を用いることなく極めて容易に着脱することができるというものである。
【先行技術文献】
【特許文献】
【０００３】
【特許文献１】特開２００７−１７２１０９号公報
【発明の概要】
【発明が解決しようとする課題】
【０００４】
ところで、このような従来の自動販売機においては、常にリーダライタと紙幣識別装置とに電源が供給され、リーダライタユニットとＩＣカードとの通信や、紙幣識別装置に投入された紙幣の識別が、何時でも可能な状態に維持されている。しかしながら、このようなリーダライタユニットや紙幣識別装置は、自動販売機から商品を購入するときに動作すればよいから、それらが実際に動作する時間は、その待機時間に比べて極めて短い。そのため、このような従来の自動販売機においては、待機状態のリーダライタや紙幣識別装置が電力を無駄に消費しているという問題があった。
【０００５】
本発明は、このような問題に対応するため、リーダライタおよび紙幣識別装置の稼動状態を、リーダライタの使用状況に応じて制御することで、それらの消費電力を少なくすることができるリーダライタを備えた自動販売機を提供することを目的とするものである。
【課題を解決するための手段】
【０００６】
上記課題を解決するため、請求項１に係る発明は、非接触型データキャリアとの間で無線通信を行うための送受信アンテナを有し、前記送受信アンテナを介して前記非接触型データキャリアからのデータの読み出しと前記非接触型データキャリアに対してデータの書き込みを行うリーダライタと、挿入される紙幣を識別して収納する紙幣識別装置と、前記紙幣識別装置の紙幣挿入口を覆う開閉カバーと、を備えた自動販売機において、前記送受信アンテナは前記開閉カバーに配設され、前記開閉カバーが開放されるとき、前記リーダライタの動作を禁止してその電源を遮断するとともに、前記紙幣識別装置の電源を投入して紙幣の識別を可能にするものである。
これによれば、待機状態において前記紙幣識別装置の電源を遮断し、前記紙幣識別装置に紙幣が挿入されるとき、前記リーダライタの動作を禁止して電源を遮断する一方、前記紙幣識別装置の電源を投入してその動作を可能とすることができる。
【０００７】
また、請求項２に係る発明は、請求項１に記載のリーダライタを備えた自動販売機において、販売商品を選択する商品選択ボタンを備え、待機状態においてリーダライタの電源を遮断し、先ず前記商品選択ボタンが操作されたとき、前記リーダライタの電源を投入してその動作を可能にするものである。
【０００８】
これによれば、待機状態において前記リーダライタの電源を遮断した状態とし、顧客が前記商品選択ボタンを操作して購入する商品を選択するとき、前記リーダライタの電源を投入してその動作を可能にすることができる。
【０００９】
また、請求項３に係る発明は、請求項１または請求項２に記載のリーダライタを備えた自動販売機において、前記開閉カバーの開閉動作に伴う前記送受信アンテナのインピーダンスの変化に基づいて、前記開閉カバーの開放を検知するものである。
【００１０】
これによれば、前記開閉カバーが開放されるとき、前記送受信アンテナを用いて前記開閉カバーの開放状態を検知することにより、前記リーダライタの電源を遮断する一方、前記紙幣識別装置の電源を投入することができる。
【００１１】
また、請求項４に係る発明は、請求項１乃至請求項３のいずれかに記載のリーダライタを自動販売機において、販売商品の搬出動作の終了後、所定の時間が経過したとき、前記リーダライタまたは前記紙幣識別装置の電源を遮断するものである。
【００１２】
これによれば、待機状態において前記リーダライタまたは前記紙幣識別装置の電源を遮断することができる。
【発明の効果】
【００１３】
以上説明したように請求項１に係る発明によれば、待機状態において紙幣識別装置の電源を遮断し、開閉カバーが開放され識別装置に紙幣が挿入されるとき、リーダライタの電源を遮断する一方、紙幣識別装置の電源を投入してその動作を可能とすることができるから、リーダライタおよび紙幣識別装置の稼動状態を、リーダライタの使用状況に応じて制御することで、それらの消費電力を少なくすることができるリーダライタを備えた自動販売機を提供することができる。
【００１４】
また、請求項２に係る発明によれば、待機状態においてリーダライタの電源を遮断し、顧客が商品選択ボタンを操作して購入商品を選択するとき、リーダライタの電源を投入してその動作を可能にすることができるから、リーダライタの稼動をその使用時に合わせるように制御することで、その消費電力を少なくすることができるリーダライタを備えた自動販売機を提供することができる。
また、請求項３に係る発明によれば、開閉カバーが開放されるとき、そこに配置される送受信アンテナのインピーダンスの変化を用いてその開閉カバーの開放状態を検知することにより、リーダライタの電源を遮断する一方、紙幣識別装置の電源を投入することができるから、開閉カバーの開放状態を検知する手段を簡単で安価に構成し、コストを安くして、リーダライタおよび紙幣識別装置の消費電力を少なくすることができるリーダライタを備えた自動販売機を提供することができる。
また、請求項４に係る発明によれば、待機状態においてリーダライタまたは紙幣識別装置の電源を遮断することができるから、それらの消費電力を的確に少なくすることができるリーダライタを備えた自動販売機を提供することができる。
【図面の簡単な説明】
【００１５】
【図１】本発明の実施の形態のリーダライタを備えた自動販売機の外観を示す正面図である。
【図２】本発明の実施の形態のリーダライタを備えた自動販売機において、リーダライタおよび紙幣識別装置の配置を模式的に示す部分断面図である。
【図３】本発明の実施の形態のリーダライタを備えた自動販売機の開閉カバーにおいて、送受信アンテナの配置状態を示す斜視図である。
【図４】本発明の実施の形態のリーダライタを備えた自動販売機の制御構成を示す制御ブロック図である
【発明を実施するための形態】
【００１６】
本発明の実施の形態について図を参照して説明する。図１は、本発明の実施の形態のリーダライタを備えた自動販売機の外観を示す正面図、図２は、本発明の実施の形態のリーダライタを備えた自動販売機において、リーダライタおよび紙幣識別装置の配置を模式的に示す部分断面図、図３は、本発明の実施の形態のリーダライタを備えた自動販売機の開閉カバーにおいて、送受信アンテナの配置状態を示す斜視図である。
図１に示すように、このリーダライタを備えた自動販売機１は、図示しない本体の前面を覆う外扉２を備えている。外扉２には商品見本５を展示する商品展示室３と、商品展示室３の商品見本５に対応して設けられた商品選択ボタン６と、販売代金としての硬貨を投入する硬貨投入口８と、同様に紙幣を投入する紙幣挿入口９と、投入金額や釣銭硬貨の有無を表示する表示器１０と、投入貨幣や釣銭を返却させるための返却レバー１１と、釣銭硬貨等が返却される硬貨返却口１２と、販売商品を取り出す商品取出口１３と、外扉２を本体に施錠する鍵部１５等を備えている。
【００１７】
なお、図２に示すように、外扉２に設けられる紙幣挿入口９はその外扉２の裏面側に設置された紙幣識別装置１７の紙幣挿入部１７ａを構成するものであって、外扉２の前面パネル２ａから突出するように形成されている。また、この自動販売機１の内部には、送受信機能を有する非接触型データキャリア（ＩＣカード等）２５（図４参照）との間で無線通信を行い、その非接触型データキャリア２５に対してデータの読み出しと、書き込みを行うリーダライタ２０を備えている。また、外扉２の前面側には、紙幣識別装置１７の紙幣挿入口９に対向して塵埃や雨水の浸入を防ぐフラッパ形状の開閉カバー１６が設けられている。この開閉カバー１６は、その上端が、外扉２の前面から突出する紙幣識別装置１７の紙幣挿入部１７ａの上方にヒンジ結合されている。そして、紙幣を紙幣挿入口９に挿入する際は、開閉カバー１６の下部を上方に引き上げるように持ち上げて紙幣挿入口９の前方を開放し、その開放状態を保って紙幣を紙幣挿入口９に挿入する。そして、このように紙幣挿入口９に挿入された紙幣は、紙幣識別装置１７の内部に取り込まれる。
【００１８】
また、このリーダライタ２０は送受信アンテナ２１を備えている。この送受信アンテナ２１は、外扉２の前面に設けられた紙幣挿入口９を覆う開閉カバー１６に配置されている。また、この送受信アンテナ２１は、図３に示すように平板状の開閉カバー１６の周縁部にループ状に配置されている。送受信アンテナ２１をこのようにループ上に配置することにより、アンテナ面積を大きく取ることが可能となり、送受信性能を向上させることができる。また、このように送受信アンテナ２１を外扉２の前面から突出する離れた位置に配置することにより、外扉２の金属製の前面パネル２ａの影響を受け難くして、非接触型データキャリア２５との通信性能を良くすることができる。また、送受信アンテナ２１を開閉カバー１６に配置することで、その設置を（特別な設置具等を必要とせず）容易にすることができる。
【００１９】
図４は、本発明の実施の形態のリーダライタ２０を備えた自動販売機１の制御構成を示す制御ブロック図である。図において、主制御部３１は、この自動販売機１全体の制御を司るもので、その内部に計時機能を有する時計部３２を備えている。また、この自動販売機１を構成するリーダライタ２０は、非接触型データキャリア２５との間で無線通信を行うための送受信アンテナ２１と、Ｒ／Ｗ制御部２２とを備え、そのＲ／Ｗ制御部２２は、送受信アンテナ２１を介して非接触型データキャリア２５との間で行われる無線通信の制御を行う送受信制御部２３を備えている。また、開閉カバー開放検知手段３４は、リーダライタ２０の送受信アンテナ２１のインピーダンスの変化に基づいて、開閉カバー１６の開放状態を検知するものである。また、硬貨識別装置１９は、硬貨投入口８に投入された硬貨を識別し、それが本物として識別されれば金種毎に収納し、釣銭の払出等があるとき、それらの収納硬貨を釣銭として硬貨返却口１２に払い出すものである。
【００２０】
このように構成されるリーダライタ２０を備えた自動販売機１において、顧客が非接触型データキャリア２５を用いて商品を購入する場合は、先ず、商品選択ボタン６を押圧して、購入する商品を選択する。そうすると、その押圧された商品選択ボタン６が点灯し、リーダライタ２０に電源が投入されてその動作が可能な状態となる。この状態で、顧客が非接触型データキャリア２５をリーダライタ２０の送受信アンテナ２１に接近させると、送受信アンテナ２１を介して非接触型データキャリア２５とリーダライタ２０との間で無線通信が行われ、非接触型データキャリア２５に対しデータの読み出し、書き込みが行われ、購入商品の決済のためのデータ処理が行われる。そして、商品が図示しない商品搬出手段によって商品取出口１３に搬出される。このようにして、顧客の選択した商品が販売される。なお、商品販売後に主制御部３１の時計部３２により所定時間の経過が計時されると、リーダライタ２０の電源が遮断されてその動作が停止される。
【００２１】
また、顧客が紙幣を用いて商品を購入する場合は、先ず、紙幣挿入口９を覆う開閉カバー１６を上方に引き上げるように回動して、紙幣挿入口９の前方を開放する。このとき、開閉カバー１６に配置された送受信アンテナ２１のインピーダンスがその開放動作により変化し、その変化に基づいて開閉カバー開放検知手段３４が開閉カバー１６の開放を検知する。そうすると、リーダライタ２０の動作が禁止（電源が投入されている場合は、その電源が遮断される）され、紙幣識別装置１７の電源が投入されてその動作が可能な状態となる。そこで、顧客が紙幣を紙幣挿入口９へ挿入すると、それが紙幣識別装置１７に取り込まれて識別され、それが真札であれば内部に取り込まれて収納される。そして、その取り込まれた紙幣価値の範囲内で購入可能な商品に対応する商品選択ボタン（その内部に設けられる商品販売可ランプ等を含む）６が点灯する。そこで、顧客がそれらの商品選択ボタン６の中から購入する商品に対応する商品選択ボタン６を選んで押圧すると、その商品が図示しない商品搬出手段によって商品取出口１３に搬出される。このようにして、顧客の選択した商品が紙幣により販売される。なお、上記と同様に商品販売後に主制御部３１の時計部３２により所定時間の経過が計時されると、紙幣識別装置１７の電源が遮断されてその動作が停止される。
【００２２】
また、顧客が硬貨を用いて商品を購入する場合は、硬貨が硬貨投入口８に投入されると、その投入が図示しない投入検知手段により検知され、硬貨識別装置１９の電源が投入されてその動作が可能となる。なお、このときリーダライタ２０の動作は禁止される。そして、投入された硬貨が硬貨識別装置１９により識別され、それが本物として識別されれば内部に取り込まれて収納される。そして、その取り込まれた硬貨の価値の範囲内で購入可能な商品に対応する商品選択ボタン６が点灯する。そこで、顧客がそれらの商品選択ボタン６の中から購入する商品に対応する商品選択ボタン６を選んで押圧すると、その商品が図示しない商品搬出手段によって商品取出口１３に搬出される。このようにして、顧客の選択した商品が硬貨により販売される。なお、上記と同様に商品販売後に主制御部３１の時計部３２により所定時間の経過が計時されると、硬貨識別装置１９の電源が遮断されてその動作が停止される。
【００２３】
以上のように、本発明のリーダライタ２０を備えた自動販売機１においては、送受信アンテナ２１は紙幣挿入口９を覆う開閉カバー１６に配設され、開閉カバー１６が開放されるときリーダライタ２０の動作を禁止してその電源を遮断するとともに、紙幣識別装置１７の電源を投入して紙幣の識別を可能な状態にするから、商品を販売しない待機状態において紙幣識別装置１７の電源を遮断し、紙幣識別装置１７に紙幣が挿入されるとき、リーダライタ２０の動作を禁止して電源を遮断する一方、紙幣識別装置１７の電源を投入してその動作を可能とすることができる。すなわち、リーダライタ２０および紙幣識別装置１７の稼動状態を、リーダライタ２０の使用状況に応じて制御することで、それらの消費電力を少なくすることができるリーダライタ２０を備えた自動販売機１を提供することができる。
【００２４】
また、販売商品を選択する商品選択ボタン６が操作されたとき、リーダライタ２０の電源を投入してその動作を可能にするから、待機状態においてリーダライタ２０の電源を遮断した状態とし、顧客が商品選択ボタン６を操作して購入商品を選択するとき、リーダライタ２０の電源を投入してその動作を可能にすることができる。したがって、リーダライタ２０の稼動をその使用時に合わせるように制御することで、その消費電力を少なくすることができるリーダライタ２０を備えた自動販売機１を提供することができる。
また、開閉カバー１６の開閉動作に伴う送受信アンテナ２１のインピーダンスの変化に基づいて、開閉カバー１６の開放を検知するから、開閉カバー１６が開放されるとき、そこに配置される送受信アンテナ２１を用いて開閉カバー１６の開放状態を検知し、リーダライタ２０の動作を禁止して電源を遮断する一方、紙幣識別装置１７の電源を投入することができる。すなわち、開閉カバー１６の開放状態を検知する手段を簡単で安価に構成し、コストを安くしてリーダライタ２０および紙幣識別装置１７の消費電力を少なくすることができるリーダライタ２０を備えた自動販売機１を提供することができる。
【００２５】
また、図示しない商品搬出機構による販売商品の搬出動作の終了後、所定の時間が経過したとき、リーダライタ２０または紙幣識別装置１７の電源を遮断するから、待機状態においてリーダライタ２０または紙幣識別装置１７の電源を確実に遮断することができる。したがって、それらの消費電力を的確に少なくすることができるリーダライタ２０を備えた自動販売機１を提供することができる
なお、本発明は、言うまでもなく本実施の形態に示す装置にのみ限定されず、その趣旨の包含する範囲で応用変更が可能である。例えば、紙幣挿入口９を覆う開閉カバー１６の開放状態を検知する手段は、送受信アンテナ２１のインピーダンスの変化を用いるものに限らず、開閉カバー１６の開閉を検知するリードスイッチやリミットスイッチを用いるものであっても良い。また、開閉カバー１６が開放されたとき、これを報知するランプを紙幣挿入口９の近傍や表示器１０に設ければ、紙幣識別装置１７へ紙幣が挿入可能な状態が明示されるから、使い勝手を向上させることができる。また、開閉カバー１６に配置される送受信アンテナ２１を用いて、人の接近を検知するように構成してもよい。それにより、人の接近が無い待機状態において、リーダライタ２０、紙幣識別装置１７、硬貨識別装置１９等の電源を遮断し、人が接近するとき、これらの電源を投入可能とすることで、これらの消費電力をさらに的確に抑制し、省エネを図ることが可能である。
【符号の説明】
【００２６】
１  自動販売機
２  外扉
５  商品見本
６  商品選択ボタン
９  紙幣挿入口
１３  商品取出口
１６  開閉カバー
１７  紙幣識別装置
１９  硬貨識別装置
２０  リーダライタ
２１  送受信アンテナ
２５  非接触型データキャリア（ＩＣカード等）
３１  主制御部
３２  時計部
３４  開閉カバー開放検知手段
【図１】
2012088900.tif 000003
【図２】
2012088900.tif 000004
【図３】
2012088900.tif 000005
【図４】
2012088900.tif 000006